(57)【特許請求の範囲】
【請求項１】
筐体と、
画像を取り込むカメラユニットと、
前記カメラユニットの信号制御を行う制御部品と、
前記カメラユニットと前記制御部品とを接続し、一方の面に前記制御部品を実装するカメラ基板と、
前記カメラユニットを前記筐体に取り付けるカメラホルダと、
押圧スイッチと、を備え、
前記カメラホルダは、前記カメラ基板の一方の面側に配置されると共に前記制御部品を収納する制御部品配置部を有し、
前記制御部品配置部は、前記筐体に固定され、前記一方の面であって前記制御部品の周辺に当接すると共に、当該制御部品の実装厚より大きい深さを有する凹部を形成して当該凹部内に前記制御部品を収納し、
前記押圧スイッチの押圧方向において前記押圧スイッチ、前記カメラ基板、前記制御部品、及び前記凹部が重畳して配置される
ことを特徴とするカメラ付き携帯端末装置。
【請求項２】
前記カメラ基板は、可撓性を有する延長部を備え、
当該延長部には、コネクタを設け、
前記カメラホルダには、前記制御部品と対向する位置に前記コネクタが配置されるよう前記延長部が折り返されて取り付けられることを特徴とする請求項１記載のカメラ付き携帯端末装置。
【請求項３】
前記カメラホルダは、導電性を有する材料を含んで構成されるとともに前記筐体へ取り付けられる際に基準電位に接続される導電部を有することを特徴とする請求項１記載のカメラ付き携帯端末装置。
【請求項４】
前記制御部品配置部に形成された前記凹部において、前記制御部品を収納するための深さ分の厚みを十分に有しない箇所には、前記凹部に連続する開口が設けられることを特徴とする請求項３記載のカメラ付き携帯端末装置。
【請求項５】
前記開口には、前記制御部品配置部の裏面に導電性を有するテープ体が貼付されることを特徴とする請求項４に記載のカメラ付き携帯端末装置。
【請求項６】
前記カメラ基板の前記制御部品の実装部の裏面に、第１の板金が、前記テープ体の端部を巻きまわされて貼付されることを特徴とする請求項５に記載のカメラ付き携帯端末装置。
【請求項７】
前記カメラホルダの前記カメラユニットの実装部の裏面に、第２の板金が、前記第１の板金とともに前記テープ体により貼付されることを特徴とする請求項６に記載のカメラ付き携帯端末装置。
【発明の詳細な説明】
【技術分野】
【０００１】
本発明は、カメラ付き携帯端末装置に関するものである。
【背景技術】
【０００２】
近年、携帯電話機、ＰＨＳ等の移動体通信機といった種々のカメラ付き携帯端末装置は、所望時にカメラ撮影可能に構成されており、カメラ付き携帯端末装置の一例を折り畳みタイプで示すと、カメラ付き携帯端末装置は、図２１、図２２に示す如く、画面表示部側の第１筺体１と、操作キー側の第２筺体２とを折り畳みにより開閉可能に構成されており、画面表示部側の第１筺体１は、折り畳んだ閉状態で外側に位置する第１ケース部材３と、折り畳んだ閉状態で内側に位置する第２ケース部材４とにより形成されている。
【０００３】
第１ケース部材３は所定の撮像窓５及びサブ表示窓６を備えるとともに、第２ケース部材４は画面配置用の開口７を形成しており、第１ケース部材３と第２ケース部材４との間には、図２３、図２４に示す如く、開口７に配置されるＬＣＤ（液晶ディスプレイ）モジュール８と、ＬＣＤモジュール８に接続されるＬＣＤ基板９と、ＬＣＤ基板９に接続されてサブ表示窓６に位置するサブＬＣＤモジュール１０とを、第１筺体１内の厚み方向で重ねるように配置し、内部上方（先端側）にはスピーカ１１を備え、内部下方（折り畳み側）には、カメラの光学系及び光学電気変換ＩＣ（図示せず）を備えて撮像窓５に配置されるカメラユニット１２と、カメラユニット１２を保持固定するカメラホルダ１３と、カメラホルダ１３に隣接して第２ケース部材４側に位置する中継用の回路基板１４とを配置している。
【０００４】
中継用の回路基板１４は、ＦＰＣ（フレキシブルプリント回路基板）１５を介してＬＣＤ基板９、カメラホルダ１３、操作キー側の筺体の基板（図示せず）に接続されるとともに、カメラホルダ１３のカメラユニット１２へ電力を供給可能に構成されている。
【０００５】
カメラユニット１２は、２４ＭＨｚのクロックを用いるよう構成されており、また、３６倍の８６４ＭＨｚ等の高周波により生じる感度劣化を防止するよう、シールドケース（図示せず）に収納されている。
【０００６】
カメラホルダ１３は、第１ケース部材３と第２ケース部材４との間でＬＣＤモジュール８、ＬＣＤ基板９、サブＬＣＤモジュール１０の下方に位置するよう、第１筺体１の横方向に延在しており、カメラホルダ１３は、図２５〜図２８に示す如く、第２ケース部材４側からカメラユニット１２を挿入するカメラ保持部１６を備え、カメラ保持部１６にはカメラユニット１２の周囲を把持する構造を形成している。また、カメラホルダ１３の第１ケース部材３に向かう一面には、カメラユニット１２の一方の隣接位置にバイブレータ用のモータ部１８を配置するとともに、カメラユニット１２の他方の隣接位置にＬＥＤ（発光ダイオード）用のＦＰＣを配置する設置面１９を設けている。さらに、カメラホルダ１３の第２ケース部材４（中継用の回路基板１４）に向かう他面には、中継用の回路基板１４に電気的に接続する接触端子部２０を備えるとともに、中継用の回路基板１４に接続するコネクタ部２１を配置している。また、カメラユニット１２には、カメラユニット１２からの信号制御を行うようＤＳＰ（Digital Signal Processor）の制御基板（図示せず）を接続している。
【０００７】
ここで、カメラホルダ１３は、第１ケース部材３と第２ケース部材４との間で所定位置に配置されるための位置決め構造を備えており、位置決め構造は、第１ケース部材３に対応するよう、モータ部１８に形成される突起部２２と、モータ部１８の側面からＬＣＤモジュール８側へ延在する延在部２３と、設置面１９の側面に形成される屈曲部２４とを備えるとともに、中継用の回路基板１４に対応するよう、カメラホルダ１３の折り畳み側の側面に形成される複数の係止部２５と、複数の係止部２５と同じ側辺の隅部に１つの取付孔２６ａを形成する固定部２６と、カメラホルダ１３のＬＣＤモジュール８側面に形成される複数の受け穴部２７とを備えている。
【０００８】
一方、第１ケース部材３は、図２９に示す如く、内側面に、モータ部１８の突起部２２に対応する対応部２８と、モータ部１８の延在部２３に対応する第１位置決め部２９と、設置面１９側の屈曲部２４に対応する第２位置決め部３０と、カメラホルダ１３の取付孔２６ａに対応する受け部３１と、ＬＥＤ用の窓枠３２とを備えている。
【０００９】
また、第２ケース部材４は、内側面に、中継用の回路基板１４を配置する配置面（図示せず）と、中継用の回路基板１４を介することなく、直接カメラホルダ１３の受け穴部２７に対応する突起部（図示せず）と、カメラホルダ１３の固定部２６と第１ケース部材３の受け部３１とに対応する取付孔（図示せず）とを備えている。
【００１０】
第１ケース部材３と第２ケース部材４との間にカメラホルダ１３を配置する際には、図２３、図２４、図２９に示す如く、第２ケース部材４に、ＬＣＤモジュール８、ＬＣＤ基板９、サブＬＣＤモジュール１０、スピーカ１１等を配置するとともに、カメラユニット１２を装着した上でカメラホルダ１３を配置し、中継用の回路基板１４を介して第１ケース部材３を組み付け、ビス等の締結手段（図示せず）で第２ケース部材４の取付孔（図示せず）、カメラホルダ１３の固定部２６、第１ケース部材３の受け部３１を締結し、カメラホルダ１３を固定している。
【００１１】
なお、カメラ付き携帯端末装置は種々なものがあり、その一例としては、カメラユニット１２を回転させて操作するものがある（例えば、特許文献１参照。）。
【特許文献１】特開２００５−５１４３１号公報
【発明の開示】
【発明が解決しようとする課題】
【００１２】
一方で、このようなカメラ付き携帯端末装置に対し、種々の操作を為しえるように第２ケース部材４に新たな操作用のキーを設けることが所望されていた。しかしながら、新たな操作用のキーの配置場所は、ＬＣＤモジュール８、ＬＣＤ基板９、スピーカ１１等の存在により、第２ケース部材４とカメラホルダ１３の間に限定されるとともに、キーを操作した場合にはキーの押圧が回路基板等に悪影響を及ぼすという問題があった。
【００１３】
本発明は、斯かる実情に鑑み、キーを操作した場合の押圧の悪影響を防止するカメラ付き携帯端末装置を提供しようとするものである。
【課題を解決するための手段】
【００１４】
本発明は、
画像を取り込むカメラユニットと、
前記カメラユニットの信号制御を行う制御部品と、
前記カメラユニットと前記制御部品とを接続し、一方の面に前記制御部品を実装するカメラ基板と、
前記カメラユニットを前記筐体に取り付けるカメラホルダと、
押圧スイッチと、を備え、
前記カメラホルダは、前記カメラ基板の一方の面側に配置されると共に前記制御部品を収納する制御部品配置部を有し、
前記制御部品配置部は、前記筐体に固定され、前記一方の面であって前記制御部品の周辺に当接すると共に、当該制御部品の実装厚より大きい深さを有する凹部を形成して当該凹部内に前記制御部品を収納し、
前記押圧スイッチの押圧方向において前記押圧スイッチ、前記カメラ基板、前記制御部品、及び前記凹部が重畳して配置される
ことを特徴とするカメラ付き携帯端末装置にかかるものである。
【００１５】
本発明において、前記カメラ基板は、可撓性を有する延長部を備え、
当該延長部には、コネクタを設け、
前記カメラホルダには、前記制御部品と対向する位置に前記コネクタが配置されるよう前記延長部が折り返されて取り付けられることが好ましい。
【００１６】
本発明において、前記カメラホルダは、導電性を有する材料を含んで構成されるとともに前記筐体へ取り付けられる際に基準電位に接続される導電部を有することが好ましい。
【００１７】
本発明の、前記制御部品配置部に形成された前記凹部において、前記制御部品を収納するための深さ分の厚みを十分に有しない箇所には、前記凹部に連続する開口が設けられることが好ましい。
【００１８】
本発明において、前記開口には、前記制御部品配置部の裏面に導電性を有するテープ体が貼付されることが好ましい。
【００１９】
本発明において、前記カメラ基板の前記制御部品の実装部の裏面に、第１の板金が、前記テープ体の端部を巻きまわされて貼付されることが好ましい。
【００２０】
本発明において、前記カメラホルダの前記カメラユニットの実装部の裏面に、第２の板金が、前記第１の板金とともに前記テープ体により貼付されることが好ましい。
【発明の効果】
【００２２】
本発明のカメラ付き携帯端末装置によれば、キー操作の押圧を逃がす凹部を形成して制御部品への悪影響を防止することができるという優れた効果を奏し得る。
【発明を実施するための最良の形態】
【００２３】
以下、本発明の実施の形態を図面を参照して説明する。
【００２４】
図１は本発明を実施する形態の一例であって第１筺体と第２筺体を開いた状態を示す概念図であり、図２は本発明を実施する形態の一例であって第１筺体と第２筺体を閉じた状態を示す概念図であり、図３はカメラホルダ等を第１ケース部材に備えた状態を示す斜視図であり、図４はカメラホルダ等を第２ケース部材に備えた状態を示す斜視図であり、図５はキー部材と中継用の回路基板とカメラホルダとの配置関係及び押圧方向を示す概念図であり、図６はカメラユニットと制御部品とカメラ基板の構成を示す側面図であり、図７はＬＣＤ回路基板と中継用の回路基板の関係を示す斜視図であり、図８はＬＣＤ回路基板と中継用の回路基板の関係を示す側面図である。なお、図２１〜図２９と同一の符号を付した部分は同一物を表わしている。
【００２５】
本発明の形態例のカメラ付き携帯端末装置は、図１、図２に示す如く、画面表示部側の第１筺体４１と、操作キー側の第２筺体４２とを折り畳みにより開閉可能に構成されており、画面表示部側の第１筺体４１は、折り畳んだ閉状態で外側に位置する第１ケース部材４３と、折り畳んだ閉状態で内側に位置する第２ケース部材４４とにより形成されている。
【００２６】
第１ケース部材４３は所定の撮像窓４５及びサブ表示窓４６を備え、第２ケース部材４４は、中央に画面配置用の開口４７を形成するとともに、下方位置にキー開口部４８（図１では３つ）を形成している。
【００２７】
第１ケース部材４３と第２ケース部材４４との間には、図３、図４に示す如く、開口７に配置されるＬＣＤ（液晶ディスプレイ）モジュール８と、ＬＣＤモジュール８に接続されるＬＣＤ基板９と、ＬＣＤ基板９に接続されてサブ表示窓４６に位置するサブＬＣＤモジュール１０とを、第１筺体４１内の厚み方向で重ねるように配置し、内部上方（先端側）にはスピーカ１１を備え、内部下方（折り畳み側）には、図５、図６に示す如く、カメラの光学系４９及び光学電気変換ＩＣ５０を備えて撮像窓４５に配置されるカメラユニット５１と、カメラユニット５１を保持固定するカメラホルダ５２と、キー開口部４８に配置されて操作面５３を露出させるシート状のキー部材５４と、カメラホルダ５２とキー部材５４との間に配置される中継用の回路基板５５と、中継用の回路基板５５に形成されてキー部材５４に対応する押圧スイッチ５６とを備えている。
【００２８】
また、第１ケース部材４３と第２ケース部材４４との間には、第１筺体４１に収納されるよう、カメラユニット５１からの電気信号を画像処理や手振れ補正等を行うＤＳＰの制御部品５７と、可撓性を有する帯状の延長部（ＦＰＣ）５８を備えるカメラ基板５９とを配置しており、カメラ基板５９は、延長部５８の一端をカメラユニット５１の後端に接続するとともに、延長部５８の中央位置にカメラユニット５１と同一面で制御部品５７を配してカメラユニット５１と接続し、また、延長部５８の先端部には、制御部品５７と同一面に位置するコネクタ６０を設けている。
【００２９】
中継用の回路基板５５は、図７、図８に示す如く、ＦＰＣ６１や接続部６２を介してＬＣＤ基板９、操作キー側の筺体の基板（図示せず）に接続されており、また、受け側のコネクタ６３をコネクタ６０に接続してカメラホルダ５２に接続されている。
【００３０】
カメラホルダ５２は、図３〜図５に示す如く、第１ケース部材４３と第２ケース部材４４との間でＬＣＤモジュール８、ＬＣＤ基板９、サブＬＣＤモジュール１０の下方に位置するよう側面近傍まで横方向に延在するとともに、カメラホルダ５２は、表面が金属でメッキされた樹脂等の導電性を有する材料を含んで構成されており、カメラユニット５１を装着するカメラ保持部６４と、カメラ保持部６４から一方に延在されるモータ部品配置部６５と、カメラ保持部６４に対し隣接形成される制御部品配置部６６と、第１筺体４１へ固定するよう第１ケース部に取付孔６７を形成する固定部６８とを有している。
【００３１】
また、図９はカメラホルダ１３における第１ケース部材３に向かう面を一方の方向から示し、図１０はカメラホルダ１３における第１ケース部材３に向かう面を他方の方向から示し、図１１はカメラホルダ１３における第２ケース部材４に向かう面を一方の方向から示し、図１２はカメラホルダ１３における第２ケース部材４に向かう面を他方の方向から示し、図１３は図１０からアルミテープ８５を取り除いて開口８２を示すともに、図６に示した制御部品５７を仮想線で示しており、カメラホルダ５２は、第１ケース部材４３と第２ケース部材４４との間で支持される支持部を備えており、支持部は、図９、図１０に示す如く、第１ケース部材４３に対向するよう、カメラ保持部６４の第１ケース部材４３側に形成される中央支持体７０，７０ａと、モータ部品配置部６５の第１ケース部材４３側に形成される一方の側方支持体７１と、制御部品配置部６６の第１ケース部材４３側に形成される他方の側方支持体７２とを備えている。また、支持部は、図１１、図１２に示す如く、中継用の回路基板５５を介して対向するよう、カメラ保持部６４の第２ケース部材４４側に形成される中央受け体７３と、モータ部品配置部６５の第２ケース部材４４側に形成される一方の側方受け体７４と、制御部品配置部６６の第１ケース部材４３側に形成される他方の側方受け体７５とを備えている。さらに、カメラホルダ５２は、カメラ保持部６４の第２ケース部材４４（中継用の回路基板５５）に向かう面に、第１筺体４１の第１ケース部材４３にネジで止めた時に基準電位に導通する導電部７６を備えている。
【００３２】
さらに、図１４は、図１１から図６に示したカメラユニット５１やカメラ基板５９を取り除いたものを示しており、カメラホルダ５２においてカメラ保持部６４は、カメラユニット５１を第２ケース部材４４側から挿入して周囲を把持する構造を備えており、モータ部品配置部６５は、第１ケース部材４３に向かう一面に、バイブレータ用のモータ部７７を配置するとともに、第２ケース部材４４（中継用の回路基板５５）に向かう他面に、中継用の回路基板５５に電気的に接続する接触端子部７８を備えている。また図９、図１０に示す如く、カメラホルダ５２の制御部品配置部６６は、第１ケース部材４３に向かう一面に、ＬＥＤ（発光ダイオード）用のＦＰＣ（図示せず）を配置する設置面７９を設ける。さらに図１４にて示すように、カメラ保持部６４は、第２ケース部材４４（中継用の回路基板５５）に向かう他面に、カメラ基板５９に対向する基板対向面８０を設けている。また、制御部品配置部６６は、基板対向面８０と周囲の側方受け体７５とにより段差状の空間を備えている。
【００３３】
また、図１５はカメラホルダにアルミテープと第１の板金を配置する前の状態を示し、図１６はカメラホルダにアルミテープと第１の板金を配置した後の状態を示し、図１７は図１１のＸＶＩＩ−ＸＶＩＩ矢視図であり、図１８は図１１のＸＶＩＩＩ−ＸＶＩＩＩ矢視図であり、図１９はカメラホルダに制御部品、カメラ基板、キー部材を重ねた状態を示す概念図であり、図２０は第１ケース部材の内面側を示しており、制御部品配置部６６には、図１４〜図１９に示す如く、制御部品５７の裏面側にコネクタ６０が配置されるようカメラ基板５９の延長部５８が折り返されて取り付けられており、基板対向面８０には、制御部品５７を配置するよう、制御部品５７の実装厚（図１７ではＬ１）以上の深さ（図１７ではＬ２）を有する凹部８１を形成しており、凹部８１には、制御部品５７の実装厚が大きい部分に対応しえるよう、第１ケース部材４３から第２ケース部材４４に向かって制御部品配置部６６を貫通する開口８２を備えている。すなわち図１０における制御部品５７の配置部分５７ａは、凹部８１を形成する際に、凹部８１の底面の厚さを確保できないため、配置部分５７ａには開口８２を設けて収納スペースを確保している。
【００３４】
カメラ基板５９の制御部品５７の実装部の第２ケース部材４４側（裏面）には、第１の板金８３が取り付けられるとともに、カメラユニット５１の実装部の第２ケース部材４４側（裏面）には、第２の板金８４が取付けられており、開口８２には、制御部品配置部６６の第１ケース部材４３側（裏面）に導電性を有するアルミテープ（テープ体）８５が貼付されるとともに、アルミテープ８５の一側（端部）を巻きまわして第１の板金８３に貼付し、さらにアルミテープ８５の端部を第２の板金８４に貼付して夫々カメラ保持部６４と導通し、ひいてはグランドライン（基準電位ライン）へ通じるようにしている。
【００３５】
一方、キー部材５４は、図５に示す如く、中継用の回路基板５５の一面側に隣接して第２ケース部材４４側に配置されるとともに、複数の操作面５３（図５では３つ）をキー開口部４８から露出させるようシート素材により構成されており、キー部材５４の周囲には、第２ケース部材４４側の突起に対応する複数の係止部５４ａ（図５では３つ）を備えている。
【００３６】
押圧スイッチ５６は、カメラホルダ５２とキー部材５４との間に位置するとともに、カメラユニット５１の実装部の第１ケース部材４３側（裏面）に対向するよう配置され、操作面５３が押圧された際には押圧されるようになっている。
【００３７】
ところで、第１ケース部材４３は、内側面に、カメラホルダ５２に対向する支持部を備え、第１ケース部材４３の支持部は、図３〜図５、図２０に示す如く、カメラホルダ５２の中央支持体７０，７０ａに当接して対抗する中央対向体８６，８６ａと、カメラホルダ５２の側方支持体７１に当接して対向する一方の側方対向体８７と、カメラホルダ５２の側方支持体７２に当接して対向する他方の側方対向体８８と、カメラホルダ５２の両側の固定部６８に対応する２つの受け部８９とを構成している。
【００３８】
ここで、撮像窓４５の周縁の表面側には、図２に示す如く、導電性部材９０が取り付けられており、また、第１ケース部材４３の内側で中央対向体８６の周辺は、表面が金属メッキ等にて導電性を与えられており、導電性部材９０と中央対向体８６の一部８６ａは当接して通電状態にある。そして中央対向体８６の一部８６ａは、中央支持体７０の一部７０ａとも面接触することにより、導電性部材９０、中央対向体８６の一部８６ａ、中央支持体７０の一部７０ａは導電状態となる。すなわち、導電性部材９０に指で触れると、帯電していた静電気はカメラに飛ぶことなく、基準電位ラインにアースされる。
【００３９】
第２ケース部材４４は、内側面に、キー開口部４８にキー部材５４を配置する配置面（図示せず）と、カメラホルダ５２の固定部６８と第１ケース部材４３の２つの受け部８９に対応する取付孔９１とを備え、ここからネジが挿入されて、カメラホルダ５２の固定部６８を共に貫通して第１ケース部材４３に螺合され、中継用の回路基板５５に配される基準電位ラインに、カメラホルダ５２の固定部６８及び導電部７６が圧接される。ただし、図１では、取付孔９１に挿通されたネジを隠すキャップが取り付けられている。
【００４０】
以下、本発明を実施する形態例の作用を説明する。
【００４１】
第１ケース部材４３と第２ケース部材４４との間に、キー部材５４、中継用の回路基板５５、カメラホルダ５２を配置する際には、第１ケース部材４３に、ＬＣＤモジュール８、ＬＣＤ基板９、スピーカ１１等を配置するとともに、カメラ保持部６４にカメラユニット５１を装着した上でカメラホルダ５２を配置し、中継用の回路基板５５を介し、キー開口部４８にキー部材５４を配置して第１ケース部材４３を組み付け、ビス等の締結手段（図示せず）で第２ケース部材４４の取付孔９１、カメラホルダ５２の固定部６８、第１ケース部材４３の受け部８９を締結し、カメラホルダ５２を固定する。
【００４２】
また、カメラホルダ５２における制御部品配置部６６の基板対向面８０には、図１７〜図１９に示す如く、凹部８１及び開口８２に制御部品５７を収めるようカメラ基板５９を配置し、次に、開口８２に貼付されたアルミテープ（テープ体）８５を巻きまわすとともに、カメラ基板５９の制御部品５７の反対側面に、アルミテープ８５に貼付された第１の板金８３を配置し、続いて、カメラ基板５９の延長部５８を折り返すことにより、アルミテープ８５の一部及び第１の板金８３を挟み込むとともに、カメラ基板５９のコネクタ６０を中継用の回路基板５５に向け、コネクタ６０を中継用の回路基板５５に接続し、最終的に、凹部８１から、制御部品５７、カメラ基板５９の延長部５８、第１の板金８３、折り返しのアルミテープ８５、折り返しの延長部５８、コネクタ６０の順に重なるように配置する。また、コネクタ６０からは、図１９に示す如く、さらに接続側のコネクタ６３、中継用の回路基板５５、押圧スイッチ５６、キー部材５４の順に重なるように配置する。なお、図１７〜１９中、カメラ基板５９と基板対向面８０の当接部分をバツ印で示している。
【００４３】
ここで、開口８２には、制御部品５７の実装厚が部分的に大きい部位を配置しており、開口８２に貼付されたアルミテープ８５から、制御部品５７、カメラ基板５９の延長部５８、第１の板金８３、折り返しのアルミテープ８５、折り返しの延長部５８、コネクタ６０の順に重なるように配置する。
【００４４】
一般に、金型を用いてカメラホルダを成形する際には、凹部８１を設けられるようにするためには、その底面部の厚さが所定量なければ成形できない。しかしながら、カメラホルダ５２を導電可能に貼り付けるアルミテープ８５を設けることにより、凹部８１の底面部の厚さの足りない箇所に開口８２を設けても、アルミテープ８５で塞ぐことができ、電気的にシールドされた状態を保つことができる。なおかつ、巻き回し可能なアルミテープ８５としては、非常に薄いもので良いため、カメラホルダの厚みをほとんど増やさずに済む。
【００４５】
一方、キー部材５４の操作面５３を押圧して押圧スイッチ５６を操作する際には、押圧方向の力が、キー部材５４、中継用の回路基板５５、カメラホルダ５２に作用し、カメラホルダ５２の支持部と第１ケース部材４３の支持部との当接により、当該当接方向で押圧スイッチ５６の押圧方向に抗する。同時に、押圧の力が中継用の回路基板５５からカメラ基板５９を介して制御部品５７に作用した場合には、押圧の力が凹部８１の隙間や開口８２で緩衝され、制御部品５７がカメラ基板５９の制御部品配置部６６に接触して破壊されてしまう。
【００４６】
このように、本発明を実施する形態例のカメラ付き携帯端末装置によれば、カメラホルダ５２の制御部品配置部６６に凹部８１を形成するとともに、凹部８１に制御部品５７を配置するので、キー操作の押圧によりカメラ基板５９を介して制御部品５７に力が作用した場合であっても、凹部８１の深さと制御部品５７の実装厚との間の隙間により、押圧の力を逃がして制御部品５７への悪影響を防止することができる。
【００４７】
本発明の形態例において、カメラ基板５９は、可撓性を有する延長部５８を備え、延長部５８には、コネクタ６０を設け、カメラホルダ５２には、制御部品５７の裏面側にコネクタ６０が配置されるよう延長部５８が折り返されて取り付けられると、カメラ基板５９は、可撓性を有する延長部５８を折り返して制御部品５７を凹部８１に配置するので、キー操作の押圧によりカメラ基板５９を介して制御部品５７に力が作用した場合であっても、ＦＰＣの可撓性の延長部５８が緩衝材として作用し、押圧の力を逃がして制御部品５７への悪影響を防止することができる。
【００４８】
本発明の形態例において、カメラホルダ５２は、導電性を有する材料を含んで構成されるとともに第１筺体４１へ取り付けられる際に基準電位に接続される導電部７６を有すると、導電性の材料によりカメラホルダ５２は、シールド化されてカメラのノイズを防止し、好適にカメラ撮影することができる。
【００４９】
本発明の形態例において、制御部品配置部６６は、制御部品５７上にて凹部８１の深さ分の厚みを十分に有しない箇所には、凹部８１に連続する開口８２が設けられると、制御部品５７に実装厚が凹部８１に深さより大きい部位を備える場合であっても、実装厚が大きい部位を開口８２に配置することにより、キー操作の押圧の力を好適に逃がして制御部品５７への悪影響を防止することができる。
【００５０】
本発明の形態例において、開口８２には、制御部品配置部６６の裏面に導電性を有するアルミテープ（テープ体）８５が貼付されると、開口８２をアルミテープ８５で塞ぐことによりシールド効果を高めて高周波ノイズの輻射を抑制し、好適にカメラ撮影することができる。また、アルミテープ８５をグランドへ接続することにより、押圧スイッチ５６の操作等によりノイズが侵入した場合であっても、中継用の回路基板５５やカメラユニット５１への悪影響を排除し、好適にカメラ撮影することができる。
【００５１】
本発明の形態例において、カメラ基板５９の制御部品５７の実装部の裏面に、第１の板金８３が、アルミテープ（テープ体）８５の端部を巻きまわされて貼付されると、キー操作の押圧により力が作用した場合であっても、第１の板金８３により力を分散させるので、中継用の回路基板５５、制御部品５７等への悪影響を防止することができる。また、アルミテープ８５により、第１の板金８３、カメラ基板５９、制御部品５７を挟み込むので、カメラからのノイズ輻射を減衰させることができる。さらに、第１の板金８３にアルミテープ８５を配するので、第１の板金８３の電気的なフローティング状態を向上させることができる。
【００５２】
本発明の形態例において、カメラホルダ５２のカメラユニット５１の実装部の裏面に、第２の板金８４が、第１の板金８３とともにアルミテープ（テープ体）８５により貼付されると、キー操作の押圧により力が作用した場合であっても、第２の板金８４により力を分散させるので、中継用の回路基板５５、制御部品５７等への悪影響を防止することができる。また、第２の板金８４にアルミテープ８５を配するので、第２の板金８４の電気的なフローティング状態を向上させることができる。
【００５３】
本発明の形態例において、カメラホルダ５２が、第１筺体４１に固定される際に、制御部品５７およびカメラユニット５１の実装部に対向するよう押圧スイッチ５６が配置されると、押圧スイッチ５６の配置を適切にするとともに、押圧スイッチ５６の操作を容易にすることができる。
【００５４】
本発明の様にカメラユニット５１の裏側にキーを配置すると、キーが押圧されるとカメラユニット５１にも圧力が加わってしまう。しかしながら第２の板金８４を設けたことにより、この圧力がカメラユニット５１に対する圧力を、点でなく第２の板金８４の面積分の面で散らすことができる。このため、カメラユニット５１の真下（裏）にもキーが配置できるようになり、筺体内のキー配置に自由度が生じる。
【００５５】
次に、凹部８１を設け、この中に制御部品５７が配されるようカメラ基板５９が載置され、その上から第１の板金８３が設けられたため、制御部品５７の裏側にキーが配置されてもこの圧力は第１の板金８３により第１の板金８３の全面に散り、さらに凹部８１の周縁部にカメラ基板５９が当接して凹部８１内では制御部品５７がカメラホルダ５２には当接して加圧されて破壊されることがない、これにより、制御部品５７裏にもキーを配置することができるようになる。
【００５６】
また、カメラホルダ５２にはバイブレータのモータが組み込まれ、これが中継基板から給電を受けることになるが、その端子の中継基板との接触圧の生じる方向が、キーの凹圧方向に略一致するように構成したことにより、バイブレータモータ裏にキーを配置しても、キー押下によってバイブレータモータの端子接触圧が低下することもない。これにより、バイブレータモータ裏にもキーを配置するようになる。
【００５７】
さらに、カメラホルダ５２の肉厚が不均一な場合も生じうるが、本発明の形態によれば、凹部８１の構成について凹部８１を設ける際に肉厚が制御部品５７に実装厚よりも充分に確保できる場所については凹部８１のみとし、肉厚の足りないところに関しては開口させることにより制御部品５７がカメラホルダ５２に当接することがない。カメラホルダ５２に導電性を持たせてシールド性を持たせているにも関わらず、開口させてしまうと、制御部品５７に対するシールド効果が下がってしまうことが予測されるが、カメラホルダ５２と電気的に導通されるアルミテープ８５にて開口８２を覆うことにより、シールド性を低下させることもない。なお、テープとしてはアルミに限定されることはなく、導電性を有するものであれば良い。例えば、銅箔テープや、布テープに金属コーティングを施したものや、導電塗料を塗布した紙テープなど様々なもので同様の効果を得ることができる。
【００５８】
また、この開口８２に蓋をするアルミテープ８５について、カメラホルダ５２側面を経由して巻き回すことにより、単一のアルミテープ８５によって、先の２つの板金８３，８４とも導電可能に貼着したことにより、板金８３，８４もカメラホルダ５２と同じ電位とすることができ、無線通信を行う上でアンテナ特性に悪影響を及ぼすおそれのある電気的に浮遊状態の金属物を排除することができる。
【００５９】
さらに、制御部品５７の配されるＦＰＣは制御部品５７の配される面と同じ側にコネクタ６０があり、ＦＰＣが折り曲げられてこのコネクタ６０が制御部品５７の真下に配された上で、対のコネクタ６３と接続される。このコネクタ６３の接続方向もキーの凹圧方向に略一致する向きであるため、キーが押下されてもコネクタ６０，６３の接続はより強固になる方向の圧力が加わるに過ぎず、脱落してしまうなどの恐れが無い。
【００６０】
尚、本発明のカメラ付き携帯端末装置は、上述の図示例にのみ限定されるものではなく、キー部材の押圧があっても悪影響を防止するものならば他の構成でも良いこと、その他、本発明の要旨を逸脱しない範囲内において種々変更を加え得ることは勿論である。
【図面の簡単な説明】
【００６１】
【図１】本発明を実施する形態の一例であって第１筺体と第２筺体を開いた状態を示す概念図である。
【図２】本発明を実施する形態の一例であって第１筺体と第２筺体を閉じた状態を示す概念図である。
【図３】カメラホルダ等を第１ケース部材に備えた状態を示す斜視図である。
【図４】カメラホルダ等を第２ケース部材に備えた状態を示す斜視図である。
【図５】キー部材と中継用の回路基板とカメラホルダとの配置関係及び押圧方向を示す概念図である。
【図６】カメラユニットと制御部品とカメラ基板の構成を示す側面図である。
【図７】ＬＣＤ回路基板と中継用の回路基板の関係を示す斜視図である。
【図８】ＬＣＤ回路基板と中継用の回路基板の関係を示す側面図である。
【図９】カメラホルダにおける第１ケース部材に向かう面を一方の方向から示す斜視図である。
【図１０】カメラホルダにおける第１ケース部材に向かう面を他方の方向から示す斜視図である。
【図１１】カメラホルダにおける第２ケース部材に向かう面を一方の方向から示す斜視図である。
【図１２】カメラホルダにおける第２ケース部材に向かう面を他方の方向から示す斜視図である。
【図１３】図１０からアルミテープを取り除いて開口を示すともに、図６に示した制御部品を仮想線で示す概念図である。
【図１４】図１１から図６に示したカメラユニットやカメラ基板を取り除いたものを示す概念図である。
【図１５】カメラホルダにアルミテープと第１の板金を配置する前の状態を示す概念図である。
【図１６】カメラホルダにアルミテープと第１の板金を配置した後の状態を示す概念図である。
【図１７】図１１のＸＶＩＩ−ＸＶＩＩ矢視図である。
【図１８】図１１のＸＶＩＩＩ−ＸＶＩＩＩ矢視図である。
【図１９】カメラホルダに制御部品、カメラ基板、キー部材を重ねた状態を示す概念図である。
【図２０】第１ケース部材の内面側を示す図である。
【図２１】従来のカメラ付き携帯端末装置であって第１筺体と第２筺体を開いた状態を示す概念図である。
【図２２】従来のカメラ付き携帯端末装置であって第１筺体と第２筺体を閉じた状態を示す概念図である。
【図２３】従来のカメラホルダ等を第１ケース部材に備えた状態を示す斜視図である。
【図２４】従来のカメラホルダ等を第２ケース部材に備えた状態を示す斜視図である。
【図２５】従来のカメラホルダの一面を一方の方向から示す斜視図である。
【図２６】従来のカメラホルダの一面を他方の方向から示す斜視図である。
【図２７】従来のカメラホルダの他面を一方の方向から示す斜視図である。
【図２８】従来のカメラホルダの他面を他方の方向から示す斜視図である。
【図２９】従来の第１ケース部材の内面側を示す図である。
【符号の説明】
【００６２】
４１    第１筺体（筺体）
４５    撮像窓
５１    カメラユニット
５２    カメラホルダ
５６    押圧スイッチ
５７    制御部品
５８    延長部
５９    カメラ基板
６０    コネクタ
６４    カメラ保持部
６６    制御部品配置部
７６    導電部
８０    基板対向面
８１    凹部
８２    開口
８３    第１の板金
８４    第２の板金
８５    アルミテープ（テープ体）
【図１】
0004592509.tif 000002
【図２】
0004592509.tif 000003
【図３】
0004592509.tif 000004
【図４】
0004592509.tif 000005
【図５】
0004592509.tif 000006
【図６】
0004592509.tif 000007
【図７】
0004592509.tif 000008
【図８】
0004592509.tif 000009
【図９】
0004592509.tif 000010
【図１０】
0004592509.tif 000011
【図１１】
0004592509.tif 000012
【図１２】
0004592509.tif 000013
【図１３】
0004592509.tif 000014
【図１４】
0004592509.tif 000015
【図１５】
0004592509.tif 000016
【図１６】
0004592509.tif 000017
【図１７】
0004592509.tif 000018
【図１８】
0004592509.tif 000019
【図１９】
0004592509.tif 000020
【図２０】
0004592509.tif 000021
【図２１】
0004592509.tif 000022
【図２２】
0004592509.tif 000023
【図２３】
0004592509.tif 000024
【図２４】
0004592509.tif 000025
【図２５】
0004592509.tif 000026
【図２６】
0004592509.tif 000027
【図２７】
0004592509.tif 000028
【図２８】
0004592509.tif 000029
【図２９】
0004592509.tif 000030